(57)【要約】【課題】パネル自体の製作原価の低減及び接合部の耐火断熱性能を維持しながらの建込み施工に必要な構成部材数及び施工工数の削減が図れ、全体として大幅なコストダウンを実現する。【解決手段】パネル端部の厚さ方向一方の内外二層の板状不燃材３Ａのうち外層の板状不燃材３Ａ２の端部分３ａ２がパネル端面４ｅ１から突出されているとともに、厚さ方向他方の内外二層の板状不燃材３Ｂのうち外層の板状不燃材３Ｂ２の端部分３ｂ２がパネル端面４ｅ１から退入され、隣接パネル４，４同士の接合に際して、一方のパネル４の外層板状不燃材３Ａ２の突出端部分３ａ２の内面と他方のパネル４の退入端部分３ａ１’に対応して露出する内層の板状不燃材３Ａ１の端部分３ａ１’の外面との重ね合わせ状態で接合可能に構成している。【選択図】　　　図２
2004011255.tif 000002
【特許請求の範囲】
【請求項１】
断熱芯材の厚さ方向両面がそれぞれ複数層の板状不燃材を挟在させて金属製表面材で被覆されてなる耐火断熱パネルにおいて、
パネル端部の厚さ方向のいずれか一方の複数層の板状不燃材のうち少なくとも最外層の板状不燃材の端部分がパネル端面から突出されているとともに、他方の複数層の板状不燃材のうち少なくとも最外層の板状不燃材の端部分がパネル端面から退入されており、隣接パネル同士を板状不燃材の突出端部分の内面と退入端部分に対応して露出する層の板状不燃材端部分の外面との重ね合わせ状態で接合可能に構成されていることを特徴とする耐火断熱パネル。
【請求項２】
上記断熱芯材の厚さ方向両面が、同一仕様の構造に構成されている請求項１に記載の耐火断熱パネル。
【請求項３】
厚さ方向のいずれか一方の板状不燃材の突出端部分の突出長さが他方の不燃材端部分の退入長さよりも短く形成されており、隣接パネル同士を上記の内外面重ね合わせ状態で接合したとき、一方のパネルにおける板状不燃材の突出端部分の端面と他方のパネルにおける板状不燃材の退入端部分の端面との間にシーリング材の充填用凹部が形成され、かつ、この凹部底面で隣接パネルの表面材の端部分同士が内外に重なり合うように構成されている請求項１または２に記載の耐火断熱パネル。
【請求項４】
上記退入する板状不燃材端部分に対応して露出する層の板状不燃材端部分の内側には、内外に重なり合う表面材の端部分側からねじ込まれる接合用ねじの先端部が螺合する下地金物が組込み設置されている請求項３に記載の耐火断熱パネル。
【請求項５】
上記断熱芯材が硬質ウレタンフォームであり、かつ、板状不燃材がケイ酸カルシウム板である請求項１ないし４のいずれかに記載の耐火断熱パネル。
【発明の詳細な説明】
【０００１】
【発明の属する技術分野】
本発明は、例えば大型の冷凍・冷蔵庫における間仕切りや外壁等として使用される耐火断熱パネルに関するものである。
【０００２】
【従来の技術】
この種の耐火断熱パネルは、耐火性能、不燃性能が要求される一方、冷凍・冷蔵保管に必要な断熱性能を確保するためにウレタンフォーム等の可燃材を使用しなければならないといったように、互いに相反する性能を同時に満足させることが必要であり、そのために、図３に示すように、ウレタンフォーム等の断熱芯材１の厚さ方向両面と鋼板等の金属製表面材２，２との間にそれぞれケイ酸カルシウム板等の板状不燃材３，３を介在させて構成されているのが一般的である。
【０００３】
このような一般的な耐火断熱パネルの複数枚を、隣接パネル同士が接合される状態に建て込んで耐火断熱間仕切りや耐火断熱外壁を施工にあたり、従来では、図４に示すように、耐火断熱パネル４の幅方向両端部で断熱芯材１の厚さ方向一端側には切込溝５が形成されており、隣接するパネル４，４同士を突き合わせたとき、両パネル４，４端部の切込溝５，５により形成される閉塞空間内にパネル４とは別に製作準備したケイ酸カルシウム等の不燃材製接合板部材６を挿入することにより接合部における耐火断熱性能を維持するとともに、パネル接合部をパネル４端部に予め埋め込み設置しているアンカーボルト７及びアングル等の取付鋼材８を介して胴縁９等に固定支持させることにより、複数枚のパネル４…を一直線状に配置し接合するといった施工手段が採用されていた。
【０００４】
【発明が解決しようとする課題】
しかし、上記のような構成及び施工手段が採用される従来の耐火断熱パネルでは、接合部の耐火断熱性能の維持のために、パネル４とは別個に不燃材製接合板部材６を製作準備しなければならないだけでなく、パネルの建込み施工時には隣接パネル４，４の接合部に各パネル４，４の切込溝５，５により形成される閉塞空間内に不燃材製接合板部材を挿入する作業手間を要し、さらに、隣接パネル４，４同士を直線状に配置し接合するためには、両パネル４，５に取付鋼材８を介して胴縁９への固定支持を可能とするためのアンカーボルト７を埋め込み設置しておくことも必要である。したがって、パネル自体の製作原価が高くなるのみならず、建込み施工に必要な構成部材数及び施工工数が非常に多く製作、施工両面でコストの高騰は避けられないという問題があった。
【０００５】
本発明は上記の実情に鑑みてなされたもので、パネル自体の製作原価の低減が図れるとともに、接合部の耐火断熱性能を維持しながらの建込み施工に必要な構成部材数及び施工工数の削減が可能で、全体として大幅なコストダウンを実現することができる耐火断熱パネルを提供することを目的としている。
【０００６】
【課題を解決するための手段】
上記目的を達成するために、本発明に係る耐火断熱パネルは、断熱芯材の厚さ方向両面がそれぞれ複数層の板状不燃材を挟在させて金属製表面材で被覆されてなる耐火断熱パネルにおいて、
パネル端部の厚さ方向のいずれか一方の複数層の板状不燃材のうち少なくとも最外層の板状不燃材の端部分がパネル端面から突出されているとともに、他方の複数層の板状不燃材のうち少なくとも最外層の板状不燃材の端部分がパネル端面から退入されており、隣接パネル同士を板状不燃材の突出端部分の内面と退入端部分に対応して露出する層の板状不燃材端部分の外面との重ね合わせ状態で接合可能に構成されていることを特徴とするものである。
【０００７】
上記構成を有する本発明によれば、パネル端面から突出している層の板状不燃材の突出端部分とパネル端面から退入している板状不燃材の端部分に対応して露出する層の板状不燃材の端部分とをそれらの内外面が重ね合わせられる状態にオーバーラップ接合することにより、パネルとは別個に不燃材製板部材を製作準備し、かつ、この不燃材製板部材をパネルの建込み施工時に隣接パネルの端部間に亘って形成される閉塞空間に挿入するといった作業手間を要することなく、単にパネルの端部分を順次オーバーラップ接合するという簡単な作業を行なうのみで隣接パネルの接合部の耐火断熱性能を他部と同等に維持いながら建込み施工することが可能であり、これによって、パネル自体の製作原価の低減が図れる上に、耐火断熱間仕切りや耐火断熱外壁の構築に必要な構成部材数及び施工工数の削減も図れ、全体として著しいコストダウンを実現することができる。
【０００８】
また、接合部の耐火断熱性能を良好に維持したままで隣接パネル同士を接合可能とする手段として、パネル端部の断熱芯材に雌雄嵌合方式の接合部を形成することが考えられるが、この場合は、建込み施工に際して、隣接パネルの雌雄嵌合部をパネル幅方向に沿い真っ直ぐに相対移動させて嵌合し接合する必要があるために、寸法、重量の大きいパネルの場合は施工性が非常に悪くなる。これに対して、本発明の場合は、パネル厚さ方向両面の板状不燃材端部分同士をパネル厚さ方向から重ね合わせて接合するオーバーラップ方式を採用しているので、隣接パネルをパネル厚さ方向に相対移動させるといった簡単な作業要領で接合部の耐火断熱性能を維持しつつ隣接パネル同士を接合することが可能であり、寸法、重量の大きいパネルであっても施工が簡単で施工性の向上が図れる。
【０００９】
上記構成の本発明に係る耐火断熱パネルにおいて、特に、請求項２に記載のように、断熱芯材の厚さ方向両面を同一仕様の構造に構成することによって、この種パネルの連続ライン生産を容易にして、パネル自体の製作原価の大幅な低減を図ることができるとともに、建込み施工時にもパネル表裏を一枚毎に判別する必要がなく、建込み施工性の一層の向上を図ることができる。
【００１０】
また、上記構成の本発明に係る耐火断熱パネルにおいて、請求項３に記載のように、厚さ方向のいずれか一方の板状不燃材の突出端部分の突出長さが他方の不燃材端部分の退入長さよりも短く形成されており、隣接パネル同士を上記の内外面重ね合わせ状態で接合したとき、一方のパネルにおける板状不燃材の突出端部分の端面と他方のパネルにおける板状不燃材の退入端部分の端面との間にシーリング材の充填用凹部が形成され、かつ、この凹部底面で隣接パネルの表面材の端部分同士が内外に重なり合うように構成することにより、パネルの製作許容誤差範囲を十分に広くとってパネル製作を容易にしながら、製作誤差の発生にかかわらず隣接パネルの接合部における耐火断熱性能を十分に補強し所定どおりの性能を確実に維持することができる。
【００１１】
特に、上記請求項３に記載の構成を採用した耐火断熱パネルにおいて、請求項４に記載のように、退入する板状不燃材端部分に対応して露出する層の板状不燃材端部分の内側に、内外に重なり合う表面材の端部分側からねじ込まれる接合用ねじの先端部が螺合する下地金物を組込み設置することにより、隣接パネル同士を固定接合するための接合用ねじの先端を下地金物に強くねじ込むことで、オーバーラップする不燃材端部分の内外面の密着度を上げて接合部の耐火断熱性能を一段と高めることができる。
【００１２】
なお、本発明に係る耐火断熱パネルにおける断熱芯材としては、硬質ウレタンフォームが最適であり、また、板状不燃材としては、フェノール板等の不燃性樹脂板を用いてもよいが、強度、材料コスト及び耐火性能の面からみて、ケイ酸カルシウム板の使用が最適である。
【００１３】
【発明の実施の形態】
以下、本発明の実施の形態を図面にもとづいて説明する。
図１は本発明に係る耐火断熱パネルの全体横断面図、図２はパネル接合部の詳細構造を示す要部の拡大横断面図である。この耐火断熱パネル４は、硬質ウレタンフォーム等の断熱芯材１の厚さ方向、つまり表裏両面とこれら表裏両面を被覆する鋼板等の金属製表面材２Ａ，２Ｂとの間にそれぞれケイ酸カルシウム板等からなる内外二層の板状不燃材３Ａ（３Ａ１，３Ａ２），３Ｂ（３Ｂ１，３Ｂ２）を挟在させて、表裏両面が同一仕様の構造に構成されている。
【００１４】
上記のような基本構成を持つ耐火断熱パネル４において、パネル幅方向の一端部側では、パネル表面側における内外二層の板状不燃材３Ａのうち外層の板状不燃材３Ａ２の端部分３ａ２及び該端部分３ａ２を覆う表面材２Ａの端部分２ａがパネル端面４ｅ１から突出されているとともに、パネル裏面側における内外二層の板状不燃材３Ｂのうち外層の板状不燃材３Ｂ２の端部分３ｂ２及び該端部分３ｂ２を覆う表面材２Ｂの端部分２ｂがパネル端面４ｅ１から退入され、この退入端部分３ｂ２に対応する内層の板状不燃材３Ｂ１の端部分３ｂ１が外部に露出されている。
【００１５】
一方、パネル幅方向の他端部側では、上記パネル幅方向の一端部側とは逆に、パネル裏面側における内外二層の板状不燃材３Ｂのうち外層の板状不燃材３Ｂ２の端部分３ｂ２’及び該端部分３ｂ２’を覆う表面材２Ｂの端部分２ｂ’がパネル端面４ｅ２から突出されているとともに、パネル表面側における内外二層の板状不燃材３Ａのうち外層の板状不燃材３Ａ２の端部分３ａ２’及び該端部分３ａ２’を覆う表面材２Ａの端部分２ａ’がパネル端面４ｅ２から退入され、この退入端部分３ａ２’に対応する内層の板状不燃材３Ａ１の端部分３ａ１’が外部に露出されている。
【００１６】
以上の構成によって、耐火断熱パネル４は、図２に明示するように、同一仕様の隣接パネル４，４同士を接合するにあたって、パネル幅方向一端部の表面側において一方のパネル４における外層板状不燃材３Ａ２の突出端部分３ａ２の内面が他方のパネル４における内層板状不燃材３Ａ１の露出端部分３ａ１’の外面に重ね合わられ、かつ、裏面側において一方のパネル４における内層板状不燃材３Ｂ１の露出端部分３ｂ１の外面に他方のパネル４における外層板状不燃材３Ｂ２の突出端部分３ｂ２’が重ね合わせられる状態で接合可能に構成されている。
【００１７】
ここで、パネル両端面４ｅ１，４ｅ２からそれぞれ突出する板状不燃材３Ａ２，３Ｂ２の突出端部分３ａ２，３ｂ２’の突出長さ（Ｌ１）は、パネル両端面４ｅ１，４ｅ２から退入する板状不燃材３Ｂ２，３Ａ２の端部分３ｂ２，３ａ２’の退入長さ（Ｌ２）よりも短く（Ｌ１＜Ｌ２）形成されており、これによって、隣接パネル４，４を図２に明示するような内外面の重ね合わせ状態で接合したとき、一方のパネル４における外層板状不燃材３Ａ２の突出端部分３ａ２の端面と他方のパネル４における外層板状不燃材３Ａ２の退入端部分３ａ２’の端面との間及び他方のパネル４における外層板状不燃材３Ｂ２の突出端部分３ｂ２’の端面と一方のパネル４における外層板状不燃材３Ｂ２の退入端部分３ｂ２の端面との間にそれぞれシリコーンコーキング等のシーリング材５Ａ及び５Ｂを充填可能な凹部６Ａ及び６Ｂが形成され、かつ、これら凹部６Ａ及び６Ｂの底面において隣接するパネル４，４の各表面材端部分２ａ，２ａ’及び２ｂ，２ｂ’同士が内外で重なり合うようにそれら表面材端部分２ａ，２ｂ及び２ａ’，２ｂ’がＬ形に折曲げ形成されている。
【００１８】
さらに、上記の耐火断熱パネル４において、パネル幅方向の一端側で退入する外層板状不燃材３Ｂ２の端部分３ｂ２に対応して露出する内層板状不燃材３Ｂ１の露出端部分３ｂ１の内側面及びパネル幅方向の他端側で退入する外層板状不燃材３Ａ２の端部分３ａ２’に対応して露出する内層板状不燃材３Ａ１の露出端部分３ａ１’の内側面に相当する断熱芯材１の両端部分にはそれぞれ、隣接パネル４，４同士の接合により形成される上記凹部６Ａ及び６Ｂの底面で重なり合う表面材端部分２ａ，２ａ’及び２ｂ，２ｂ’側からねじ込まれるパネル接合用ドリルねじ７Ａ及び７Ｂの先端部が螺合可能な略Ｚ型の下地金物８Ａ及び８Ｂがパネル製造時に予め組込み設置されている。
【００１９】
上記のように構成されたパ耐火断熱パネル４においては、隣接パネル４，４同士を接合する際、一方のパネル４におけるパネル端面４ｅ１から突出している外層の板状不燃材３Ａ２の突出端部分３ａ２の内面が、他方のパネル４におけるパネル端面４ｅ２から退入している外層の板状不燃材３Ａ２の端部分３ａ２’に対応して露出する内層の板状不燃材３Ａ１の端部分３ａ１’の外面に重ね合わせられ、かつ、一方のパネル４における同じパネル端面４ｅ１から退入している外層の板状不燃材３Ｂ２の端部分３ｂ２に対応して露出する内層の板状不燃材３Ｂ１の端部分３ｂ１の外面に、他方のパネル４におけるパネル端面４ｅ２から突出している外層の板状不燃材３Ｂ２の突出端部分３ｂ２’の内面が重ね合わせられるように不燃材同士がオーバーラップする状態に接合することにより、パネル４，４，とは別個に接合用の不燃材製板部材を製作準備する必要がないとともに、その別個に準備した不燃材製板部材をパネル建込み施工時に隣接パネル４，４の端部間に亘って形成される閉塞空間に挿入する作業手間も必要なく、接合部の耐火断熱性能を低下させず他部と同等の耐火断熱性能を維持しながらパネル４を順次建込み施工することが可能である。
【００２０】
また、パネル表裏の板状不燃材３Ａ，３Ｂの突出端部分３ａ２，３ｂ２’と露出端部分３ｂ１，３ａ１’同士をパネル厚さ方向から重ね合わせるオーバーラップ方式の接合手段を採用しているので、隣接パネル４，４同士をパネル厚さ方向Ｘ−Ｘに相対移動させるといった作業要領で接合部の耐火断熱性能を維持しつつ隣接パネル４，４同士を直線状に配置して接合することが可能であり、寸法、重量の大きいパネルであっても施工が簡単で施工性の向上が図れる。
【００２１】
さらに、退入する板状不燃材端部分３ｂ２，３ａ２’に対応して露出する層の板状不燃材端部分３ｂ１，３ａ１’の内側には、上記凹部６Ａ及び６Ｂの底面でそれぞれ内外に重なり合う表面材端部分２ａ，２ａ’及び２ｂ，２ｂ’側からねじ込まれるパネル接合用ドリルねじ７Ａ及び７Ｂの先端部が螺合する略Ｚ型の下地金物８Ａ及び８Ｂが組込み設置されているので、隣接パネル４，４同士を上述のようなオーバーラップ状態に接合したのち、接合用ドリルねじ７Ａ，７Ｂの先端を下地金物８Ａ，８Ｂに強くねじ込むことで、オーバーラップする不燃材端部分３ａ２，３ａ１’及び３ｂ１，３ｂ２’同士の内外面の密着度を上げて接合部の耐火断熱性能を一段と高めることができる。
【００２２】
なお、上記実施の形態では、パネル表裏両面の板状不燃材３Ａ，３Ｂを共に内外二層にしたもの説明したが、三層以上として、そのうちの最外層の板状不燃材の端部分を突出及び退入させる構成としてもよい。また、板状不燃材としては、ケイ酸カルシウム板が性能的にもコスト的にも最適であるが、フェノール板等の他の不燃材を用いてもよい。
【００２３】
【発明の効果】
以上要するに、本発明によれば、パネル端面から突出している層の板状不燃材の突出端部分とパネル端面から退入している板状不燃材の端部分に対応して露出する層の板状不燃材の端部分とをそれらの内外面が重ね合わせられる状態のオーバーラップ方式の接合構成を採用しているので、パネルとは別個に不燃材製板部材を製作準備すること、及び、その不燃材製板部材をパネルの建込み施工時に隣接パネルの端部間に亘って形成される閉塞空間に挿入するといった作業手間も全く不要で、単にパネルの端部分を順次オーバーラップ接合するという簡単な作業を行なうのみで隣接パネルの接合部の耐火断熱性能を他部と同等な性能に維持しながらパネルを順次に建込み施工することができる。したがって、パネル自体の製作原価の低減を図れるだけでなく、耐火断熱間仕切りや耐火断熱外壁の構築に必要な構成部材数及び施工工数も削減でき、パネル製作面、耐火断熱壁の施工面の両面から著しいコストダウンを実現することができるという効果を奏する。
【００２４】
また、請求項２に記載のように、厚さ方向両面を同一仕様の構造に構成することによって、パネルの連続ライン生産を容易にしてパネル自体の製作原価の大幅な低減を図ることができるとともに、建込み施工時にパネル表裏を一枚毎に判別する必要がなく、建込み施工性の一層の向上を図ることができる。
【００２５】
さらに、請求項３及び請求項４に記載のような構成を採用することによって、製作誤差の発生にかかわらず隣接パネルの接合部における耐火断熱性能を所定どおりの性能に確実に維持することができ、また、隣接パネル同士を固定接合するための接合用ねじを用いてオーバーラップする不燃材端部分の内外面の密着度を上げて接合部の耐火断熱性能を一段と高めることができる。
【図面の簡単な説明】
【図１】本発明に係る耐火断熱パネルの全体横断面図である。
【図２】同上耐火断熱パネルの接合部の詳細構造を示す要部拡大横断面図である。
【図３】従来一般の耐火断熱パネルの全体横断面図である。
【図４】同上従来一般の耐火断熱パネルの接合部の詳細構造を示す要部拡大横断面図である。
【符号の説明】
１　断熱芯材
２Ａ，２Ｂ　金属製表面材
２ａ，２ａ’，２ｂ，２ｂ’表面材端部分
３Ａ，３Ｂ　板状不燃材
３Ａ１，３Ｂ１　内層板状不燃材
３Ａ２、３Ｂ２　外層板状不燃材
３ａ２，３ｂ２’　突出端部分
３ｂ２，３ａ２’　退入端部分
３ｂ１，３ａ１’　露出端部分
４　耐火断熱パネル
４ｅ１，４ｅ２　パネル端面
５Ａ，５Ｂ　シーリング材
６Ａ，６Ｂ　凹部
７Ａ，７Ｂ　接合用ドリルねじ
８Ａ，８Ｂ　下地金物
【図１】
2004011255.tif 000003
【図２】
2004011255.tif 000004
【図３】
2004011255.tif 000005
【図４】
2004011255.tif 000006